(57)【要約】  グループ毎配信データ有無情報生成部が、受信装置を１つまたは複数含んだグループに含まれる受信装置に送信するデータがフレームに含まれているか否かを示す配信データ有無情報を生成する。また、同期信号生成部が、配信データ有無情報を含んだ同期情報を生成する。
2010016225.tif 000002
【特許請求の範囲】
【請求項１】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記受信装置を１つまたは複数含んだグループに含まれる前記受信装置に送信する前記データが前記フレームに含まれているか否かを示す配信データ有無情報を生成する有無情報生成部と、
前記配信データ有無情報を含んだ前記同期情報を生成する同期情報生成部と
を含むフレーム生成装置。
【請求項２】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成部と、
前記アドレス情報送信開始情報を含んだ前記同期情報を生成する同期情報生成部と
を含むフレーム生成装置。
【請求項３】
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを受信する受信部と、
前記配信データ有無情報に基づいて、自受信装置に対して前記アドレス情報が前記フレームで送信されるか否か判断する判断部と、
前記受信部の電源を制御する電源制御部と
を含み、
前記判断部が前記アドレス情報は送信されると判断した場合、前記電源制御部は、前記受信部に電源を供給し、
前記判断部が前記アドレス情報は送信されないと判断した場合、前記電源制御部は、前記受信部に供給する電源を遮断する
受信装置。
【請求項４】
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信する受信部と、
前記アドレス情報送信開始情報に基づいて、自受信装置に対して前記アドレス情報が送信されるまで、前記受信部に供給する電源を遮断する電源制御部と
を含む受信装置。
【請求項５】
フレーム生成装置と、
受信装置と、
前記フレーム生成装置が生成した前記フレームを前記受信装置に送信する送信装置と
を含み、
前記フレーム生成装置は、
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記受信装置を１つまたは複数含んだグループに含まれる前記受信装置に送信する前記データが前記フレームに含まれているか否かを示す配信データ有無情報を生成する有無情報生成部と、
前記配信データ有無情報を含んだ前記同期情報を生成する同期情報生成部と
を含み、
前記受信装置は、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを受信する受信部と、
前記配信データ有無情報に基づいて、自受信装置に対して前記アドレス情報が前記フレームで送信されるか否か判断する判断部と、
前記受信部の電源を制御する電源制御部と
を含み、
前記判断部が前記アドレス情報は送信されると判断した場合、前記電源制御部は、前記受信部に電源を供給し、
前記判断部が前記アドレス情報は送信されないと判断した場合、前記電源制御部は、前記受信部に供給する電源を遮断する
データ送受信システム。
【請求項６】
フレーム生成装置と、
受信装置と、
前記フレーム生成装置が生成した前記フレームを前記受信装置に送信する送信装置と
を含み、
前記フレーム生成装置は、
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、
前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成部と、
前記アドレス情報送信開始情報を含んだ前記同期情報を生成する同期情報生成部と
を含み、
前記受信装置は、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信する受信部と、
前記アドレス情報送信開始情報に基づいて、自受信装置に対して前記アドレス情報が送信されるまで、前記受信部に供給する電源を遮断する電源制御部と
を含む
データ送受信システム。
【請求項７】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、
前記受信装置を１つまたは複数含んだグループに含まれる前記受信装置に送信する前記データが、前記フレームに含まれているか否かを示す配信データ有無情報を生成する有無情報生成ステップと、
前記配信データ有無情報を含んだ前記同期情報を生成する同期情報生成ステップと
を含むフレーム生成方法。
【請求項８】
無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、
前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成ステップと、
前記アドレス情報送信開始情報を含んだ前記同期情報を生成する同期情報生成ステップと
を含むフレーム生成方法。
【請求項９】
受信部と、判断部と、電源制御部とを含む受信装置の受信方法であって、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを前記受信部が受信する受信ステップと、
前記配信データ有無情報に基づいて、自受信装置に対して前記アドレス情報が前記フレームで送信されるか否か前記判断部が判断する判断ステップと、
前記判断部が前記受信部の電源を制御する電源制御ステップと
を含み、
前記判断ステップで前記アドレス情報は送信されると判断した場合、前記電源制御ステップでは前記受信部に電源を供給し、
前記判断ステップで前記アドレス情報は送信されないと判断した場合、前記電源制御ステップでは前記受信部に供給する電源を遮断する
受信方法。
【請求項１０】
受信部と、判断部と、電源制御部とを含む受信装置の受信方法であって、
無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信部が受信する受信ステップと、
前記アドレス情報送信開始情報に基づいて、自受信装置に対して前記アドレス情報が送信されるまで前記受信部に供給する電源を遮断する電源制御ステップと
を含む受信方法。
【発明の詳細な説明】
【技術分野】
【０００１】
本発明は、無線通信を行うための、フレーム生成装置、受信装置、データ送受信、フレーム生成方法および受信方法に関する。
本願は、２００８年８月４日に、日本に出願された特願２００８−２０１２７６号に基づき優先権を主張し、その内容をここに援用する。
【背景技術】
【０００２】
従来、送信装置から複数の受信装置宛に無線通信を用いてデータ送信を行うデータ送受信システムにおいては、同期情報と、複数の受信装置の中からデータを送信する対象の受信装置を識別して呼び出すためのアドレス情報と、受信装置宛のデータとを含んだフレームを用いてデータを送信することが知られている（例えば、特許文献１参照）。
【先行技術文献】
【特許文献】
【０００３】
【特許文献１】特開２００１−３２６６００号公報
【発明の概要】
【発明が解決しようとする課題】
【０００４】
しかしながら、特許文献１に記載のデータ送受信システムでは、各受信装置は同期情報の次に送信されるアドレス情報の内容を確認して、自受信装置宛のデータが送信されるか否か判断を行う。そのため、受信装置は必ずアドレス情報を確認する必要があるため、受信動作時間が長くなる。よって、受信装置が消費する電力は大きいという問題がある。また、受信装置が消費する電力が大きいため、受信装置が電池で動作しているケースにおいては電池動作時間が短くなってしまうという問題がある。【０００５】
解決しようとする問題点は、受信装置が消費する消費電力をより低減させることである。
【課題を解決するための手段】
【０００６】
本発明に係るフレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記受信装置を１つまたは複数含んだグループに含まれる前記受信装置に送信する前記データが前記フレームに含まれているか否かを示す配信データ有無情報を生成する有無情報生成部と、前記配信データ有無情報を含んだ前記同期情報を生成する同期情報生成部とを含む。【０００７】
また、本発明に係るフレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成部と、前記アドレス情報送信開始情報を含んだ前記同期情報を生成する同期情報生成部とを含む。【０００８】
また、本発明に係る受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを受信する受信部と、前記配信データ有無情報に基づいて、自受信装置に対して前記アドレス情報が前記フレームで送信されるか否か判断する判断部と、前記受信部の電源を制御する電源制御部とを含み、前記判断部が前記アドレス情報は送信されると判断した場合、前記電源制御部は、前記受信部に電源を供給し、前記判断部が前記アドレス情報は送信されないと判断した場合、前記電源制御部は、前記受信部に供給する電源を遮断する。【０００９】
また、本発明に係る受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信する受信部と、前記アドレス情報送信開始情報に基づいて、自受信装置に対して前記アドレス情報が送信されるまで、前記受信部に供給する電源を遮断する電源制御部とを含む。【００１０】
また、本発明に係るデータ送受信システムは、フレーム生成装置と、受信装置と、前記フレーム生成装置が生成した前記フレームを前記受信装置に送信する送信装置とを含み、前記フレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記受信装置を１つまたは複数含んだグループに含まれる前記受信装置に送信する前記データが前記フレームに含まれているか否かを示す配信データ有無情報を生成する有無情報生成部と、前記配信データ有無情報を含んだ前記同期情報を生成する同期情報生成部とを含み、前記受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを受信する受信部と、前記配信データ有無情報に基づいて、自受信装置に対して前記アドレス情報が前記フレームで送信されるか否か判断する判断部と、前記受信部の電源を制御する電源制御部とを含み、前記判断部が前記アドレス情報は送信されると判断した場合、前記電源制御部は、前記受信部に電源を供給し、前記判断部が前記アドレス情報は送信されないと判断した場合、前記電源制御部は、前記受信部に供給する電源を遮断する。【００１１】
更に、本発明に係るデータ送受信システムは、フレーム生成装置と、受信装置と、前記フレーム生成装置が生成した前記フレームを前記受信装置に送信する送信装置とを含み、前記フレーム生成装置は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成部と、前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成部と、前記アドレス情報送信開始情報を含んだ前記同期情報を生成する同期情報生成部とを含み、前記受信装置は、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信する受信部と、前記アドレス情報送信開始情報に基づいて、自受信装置に対して前記アドレス情報が送信されるまで、前記受信部に供給する電源を遮断する電源制御部とを含む。【００１２】
また、本発明に係るフレーム生成方法は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、前記受信装置を１つまたは複数含んだグループに含まれる前記受信装置に送信する前記データが、前記フレームに含まれているか否かを示す配信データ有無情報を生成する有無情報生成ステップと、前記配信データ有無情報を含んだ前記同期情報を生成する同期情報生成ステップとを含む。【００１３】
また、本発明に係るフレーム生成方法は、無線通信で使用するフレーム内の情報を受信する受信装置と同期を取るための情報である同期情報と、データを送信する前記フレーム内のアドレスを示すアドレス情報と、前記受信装置に送信するデータとを、同期情報とアドレス情報とデータとの順に含むフレームを生成するフレーム生成ステップと、前記受信装置を１つまたは複数含んだグループに含まれる前記受信装置に送信する前記データの前記アドレスを示す前記アドレス情報の送信が開始されるタイミングを示すアドレス情報送信開始情報を生成するアドレス情報送信開始情報生成ステップと、前記アドレス情報送信開始情報を含んだ前記同期情報を生成する同期情報生成ステップとを含む。【００１４】
また、本発明に係る受信方法は、受信部と、判断部と、電源制御部とを含む受信装置の受信方法であって、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データが含まれているか否かを示す配信データ有無情報を含んだ前記同期情報と、前記アドレス情報と、前記データとを前記受信部が受信する受信ステップと、前記配信データ有無情報に基づいて、自受信装置に対して前記アドレス情報が前記フレームで送信されるか否か前記判断部が判断する判断ステップと、前記判断部が前記受信部の電源を制御する電源制御ステップとを含み、前記判断ステップで前記アドレス情報は送信されると判断した場合、前記電源制御ステップでは前記受信部に電源を供給し、前記判断ステップで前記アドレス情報は送信されないと判断した場合、前記電源制御ステップでは前記受信部に供給する電源を遮断する。【００１５】
また、本発明に係る受信方法は、受信部と、判断部と、電源制御部とを含む受信装置の受信方法であって、無線通信で使用するフレームを送信する送信装置と同期を取るための情報である同期情報と、データを送信する前記フレーム内のアドレスを示すアドレス情報と、前記受信装置に送信するデータとを、同期情報とアドレス情報とデータとの順に含むフレーム内で、前記受信装置を１つまたは複数含んだグループに含まれる前記受信装置に送信する前記データの前記アドレスを示す前記アドレス情報の送信が開始されるタイミングを示すアドレス情報送信開始情報を含んだ前記同期情報と、前記アドレス情報と、前記データとを受信部が受信する受信ステップと、前記アドレス情報送信開始情報に基づいて、自受信装置に対して前記アドレス情報が送信されるまで前記受信部に供給する電源を遮断する電源制御ステップとを含む。
【発明の効果】
【００１６】
本発明は、受信装置が消費する消費電力をより低減させることができる利点がある。特に、１台の送信装置から送信されるフレームを受信する受信装置の数が多い場合においては、自受信装置が含まれるグループへのアドレス情報が送信されるかどうかの判断を行うことが可能となり、自受信装置が含まれないグループに対して送られるアドレス情報を受信する必要がなくなるので、消費電力をさらに低減できるようになる。
【図面の簡単な説明】
【００１７】
【図１】第一の実施形態におけるデータ送受信システムの構成を示した構成図である。
【図２】第一の実施形態におけるデータ配信管理装置の物理構成を示したブロック図である。
【図３】第一の実施形態におけるデータ配信管理装置の機能構成を示したブロック図である。
【図４】第一の実施形態における無線基地局の物理構成を示したブロック図である。
【図５】第一の実施形態における無線基地局の機能構成を示したブロック図である。
【図６】第一の実施形態における受信装置の物理構成を示したブロック図である。
【図７】第一の実施形態における受信装置機能構成を示したブロック図である。
【図８】第一の実施形態におけるフレームの構成を示した構成図である。
【図９】第一の実施形態におけるデータ配信管理装置と無線基地局との動作の手順を示したフローチャートである。
【図１０】第一の実施形態における受信装置の動作の手順を示したフローチャートである。
【図１１】第一の実施形態における受信装置の無線回路に供給される電源のオン／オフのタイミングを示す図である。
【図１２】第一の実施形態における受信装置の無線回路に供給される電源のオン／オフのタイミングを示す図である。
【図１３】第二の実施形態におけるデータ送受信システムの構成を示した構成図である。
【図１４】第二の実施形態におけるデータ配信管理装置の機能構成を示したブロック図である。
【図１５】第二の実施形態における受信装置の機能構成を示したブロック図である。
【図１６】第二の実施形態における無線基地局が情報を送信するタイミングを示した図である。
【図１７】第二の実施形態におけるフレームの構成を示した構成図である。
【図１８】第二の実施形態におけるデータ配信管理装置と無線基地局との動作の手順を示したフローチャートである。
【図１９】第二の実施形態における受信装置の動作の手順を示したフローチャートである。
【図２０】第二の実施形態における受信装置の無線回路に供給される電源のオン／オフのタイミングを示す図である。
【図２１】第三の実施形態における受信装置の動作の手順を示したフローチャートである。
【図２２】第三の実施形態における受信装置の無線回路に供給される電源のオン／オフのタイミングを示す図である。
【図２３】第四の実施形態における受信装置の無線回路に供給される電源のオン／オフのタイミングを示す図である。
【発明を実施するための形態】
【００１８】
（第一の実施形態）
以下、本発明の第一の実施形態について図面を参照して説明する。図１は、本実施形態におけるデータ送受信システムの構成を示した構成図である。図示する例では、データ送受信システムにはデータ配信管理装置１（フレーム生成装置）と、無線基地局２（送信装置）と、受信装置グループ３−１〜３−ｎとが含まれる。受信装置グループ３−１〜３−ｎはそれぞれ単数または複数の受信装置４が含まれる。
【００１９】
データ配信管理装置１と無線基地局２とは有線または無線のネットワークで接続されており、互いに情報を送受信することが可能である。また、無線基地局２は、単数または複数の受信装置４と無線のネットワークで接続されており、互いに情報を送受信することが可能である。図示する例では、無線基地局２は、無線通信グループ３−１〜３−ｎに含まれる受信装置４と無線のネットワークで接続されており、互いに情報を送受信することができる。
【００２０】
データ配信管理装置１は、無線基地局２を介して受信装置４に送信するフレームを生成する。フレームについては後述する。また、データ配信管理装置１は、作成したフレームを受信装置４に送信するタイミングを管理する。
【００２１】
無線基地局２は、データ配信管理装置１より送信されたフレームを受信装置４に送信する。受信装置４は、データ配信管理装置１より無線基地局２を介して送信されたフレームに含まれる情報を受信する。
【００２２】
なお、本実施形態のデータ送受信システムは、例えば、電子棚札システムである。具体的には、受信装置４は表示部を備えた電子棚札であり、データ配信管理装置１は、無線基地局２を介して、受信装置４の表示部に表示させる商品名および商品の価格等の情報を受信装置４に送信する。また、データ配信管理装置１より送信された商品名および商品の価格等の情報を受信した受信装置４は、受信した商品名および商品の価格等の情報に基づいて、自身が備える表示部に商品名および商品の価格等を表示する。
【００２３】
図２は、本実施形態におけるデータ配信管理装置１の物理構成を示したブロック図である。図示する例では、データ配信管理装置１は、ＣＰＵ（Ｃｅｎｔｒａｌ  Ｐｒｏｃｅｓｓｉｎｇ  Ｕｎｉｔ、中央演算処理装置）２１と、ＲＯＭ（Ｒｅａｄ  Ｏｎｌｙ  Ｍｅｍｏｒｙ、読み出し専用メモリ）２２と、ＲＡＭ（Ｒａｎｄｏｍ  Ａｃｃｅｓｓ  Ｍｅｍｏｒｙ、ランダムアクセスメモリ）２３と、表示部２４と、データインタフェース２５と、入力部２６とを備える。
【００２４】
ＣＰＵ２１は、データ配信管理装置１の処理を実施する。ＲＯＭ２２およびＲＡＭ２３は、データ配信管理装置１が使用する情報を記憶する。表示部２４は、例えば、液晶ディスプレイなどであり、情報を表示する。データインタフェース２５は、他の装置と情報の送受信を行う。入力部２６は、データ配信管理装置１への入力を受け付ける。
【００２５】
図３は、本実施形態におけるデータ配信管理装置１の機能構成を示したブロック図である。図示する例では、データ配信管理装置１は、配信データ記憶部３１と、配信データ制御部３２と、接続情報管理部３３と、送信情報生成部３４と、フレームデータ生成部３５と、データ配信部３６とを備える。
【００２６】
また、送信情報生成部３４は、同期情報生成部３４１と、アドレス情報生成部３４２と、データ生成部３４３と、グループ毎配信データ有無情報生成部３４４とを備える。
【００２７】
配信データ記憶部３１は、受信装置４に配信する情報を記憶する。配信データ制御部３２は、配信データ記憶部３１が記憶する情報を制御する。接続情報管理部３３は、受信装置４と接続するための情報を管理する。送信情報生成部３４は、受信装置４に送信する情報を生成する。フレームデータ生成部３５は、送信情報生成部３４が生成した情報に基づいてフレームを生成する。データ配信部３６は、無線基地局２と通信を行う。同期情報生成部３４１は、後述する同期情報Ｓを生成する。アドレス情報生成部３４２は、後述するアドレス情報Ａを生成する。データ生成部３４３は、後述するデータＤを生成する。グループ毎配信データ有無情報生成部３４４は、後述する配信データ有無情報Ｈを生成する。
【００２８】
図４は、本実施形態における無線基地局２の物理構成を示したブロック図である。図示する例では、無線基地局２は、ＣＰＵ４１と、ＲＯＭ４２と、ＲＡＭ４３と、無線回路４４と、データインタフェース４５とを備える。
【００２９】
ＣＰＵ４１は、無線基地局２の処理を実施する。ＲＯＭ４２およびＲＡＭ４３は、無線基地局２が使用する情報を記憶する。無線回路４４は、他の装置と無線通信により情報の送受信を行う。データインタフェース４５は、他の装置と情報の送受信を行う。
【００３０】
図５は、本実施形態における無線基地局２の機能構成を示したブロック図である。図示する例では、無線基地局２は、データ受信部５１と、フレーム送信制御部５２と、タイミング制御部５３と、無線通信部５４とを備える。
【００３１】
データ受信部５１は、データ配信管理装置１と通信を行う。フレーム送信制御部５２は、受信装置グループ３−１〜３−ｎへのフレームの送信を制御する。タイミング制御部５３は、受信装置グループ３−１〜３−ｎに情報を送信するタイミングを制御する。無線通信部５４は、受信装置グループ３−１〜３−ｎと通信を行う。
【００３２】
図６は、本実施形態における受信装置４の物理構成を示したブロック図である。図示する例では、受信装置４は、ＣＰＵ６１と、ＲＯＭ６２と、ＲＡＭ６３と、無線回路６４と、表示部６５と、電池６６とを備える。
【００３３】
ＣＰＵ６１は、受信装置４の処理を実施する。ＲＯＭ６２およびＲＡＭ６３は、受信装置４が使用する情報を記憶する。無線回路６４は、他の装置と無線通信により情報の送受信を行う。表示部６５は、例えば、液晶パネルなどであり、情報を表示する。電池６６は、受信装置４で使用する電力を供給する。
【００３４】
図７は、本実施形態における受信装置４の機能構成を示したブロック図である。図示する例では、受信装置４は、制御部７１と、無線通信部７２と、スイッチ部７３と、電池７４とを備える。
【００３５】
また、制御部７１は、配信データ有無検出部７１１と、受信時刻設定部７１２と、時刻情報部７１３と、電源制御部７１４と、自端末アドレス情報記憶部７１６と、自グループ情報記憶部７１７とを備える。
【００３６】
制御部７１は、無線基地局２との通信制御を行う。無線通信部７２は、無線回路を有し、無線基地局２と通信を行う。スイッチ部７３は、無線通信部７２の無線回路に流れる電流のスイッチである。電池７４は、受信装置４が使用する電力を供給する。配信データ有無検出部７１１は、無線基地局２からデータＤが送信されるか否か検出する。受信時刻設定部７１２は、無線基地局２から送信される情報を受信する時刻を設定する。時刻情報部７１３は、時刻（クロック）を生成する。電源制御部７１４は、スイッチ部７３を用いて、無線通信部７２の無線回路に流れる電流を制御する。自端末アドレス情報記憶部７１６は、自身固有のアドレス情報を記憶する。自グループ情報記憶部７１７は、自身がどの受信装置グループ３−１〜３−ｎに属しているかの情報を記憶する。
【００３７】
次に、本実施形態におけるフレームの構成について説明する。図８は、本実施形態におけるフレームの構成を示した構成図であり、図1に示す受信装置グループ３が８つの場合を図示している。フレームは、同期情報Ｓと、アドレス情報Ａと、データＤとを含む。
図示する例では、１つのフレームに、同期情報Ｓと、グループ別アドレス情報Ａ１〜Ａ８と、グループ別データＤ１〜Ｄ８とが順に含まれている。グループ別アドレス情報Ａ１〜Ａ８と、グループ別データＤ１〜Ｄ８は、受信装置グループ３内の個別の受信装置４向けのアドレス情報とデータを含んでいる。
【００３８】
例えば、グループ別アドレス情報Ａ１内には、第1の受信装置グループ３内の個別の受信装置４向けのアドレス情報が含まれる。また、同期情報にはビット同期情報Ｂと、フレーム情報Ｆと、配信データ有無情報Ｈとが含まれている。図示する例では、１つの同期情報Ｓに、ビット同期情報Ｂと、フレーム情報Ｆと、グループ毎配信データ有無情報Ｈ１〜Ｈ８とが順に含まれている。
同期情報Ｓは、ビット同期情報Ｂと、フレーム情報Ｆと、グループ毎配信データ有無情報Ｈとからなる情報である。ビット同期情報Ｂは、無線基地局２と、受信装置４との同期を合わせるための情報である。フレーム情報Ｆは、無線基地局２が送信する本フレームの情報を受信装置４に知らせるための情報である。例えば、フレーム情報Ｆは、無線基地局２のＩＤ情報や、フレームの周期情報など、受信装置４が無線基地局２と同期をとり動作するために必要な情報である。
【００３９】
グループ毎配信データ有無情報Ｈは、本フレーム内に、各受信装置グループ３−１〜３−ｎに対して送信されるデータＤが含まれているか否かを示す情報である。例えば、本フレーム内に受信装置グループ３−１に対して送信されるグループ別データＤ１が含まれている場合、グループ毎配信データ有無情報Ｈ１は「１」であり、本フレーム内に受信装置グループ３−１に対して送信されるグループ別データＤ１が含まれていない場合、グループ毎配信データ有無情報Ｈ１は「０」である。他の受信装置グループについても同様である。
グループ別アドレス情報Ａは、グループ別データＤが送信される本フレーム内で、受信装置グループ３のアドレスを示す。グループ別データＤは、本フレーム内に前記グループ別アドレス情報Ａで示された受信装置グループ３に送信するデータである。例えば、受信装置グループ３が電子棚札の場合では、データＤは商品名および商品の価格等の情報である。
【００４０】
次に、本実施形態におけるデータ配信管理装置１と無線基地局２との動作を説明する。図９は、本実施形態におけるデータ配信管理装置１と無線基地局２との動作の手順を示したフローチャートである。
（ステップＳ１０１）データ配信管理装置１の接続情報管理部３３は、フレームを生成する時刻であるか否か判断する。フレームを生成する時刻と判断した場合はステップＳ１０２に進み、それ以外の場合はステップＳ１０１の処理に戻る。
【００４１】
（ステップＳ１０２）データ配信管理装置１のフレームデータ生成部３５は、フレームの生成を開始する。その後、ステップＳ１０３に進む。
（ステップＳ１０３）データ配信管理装置１の配信データ制御部３２は、配信データ記憶部３１に、配信するデータがあるか否か判断する。配信するデータがあると判断した場合はステップＳ１０４に進み、それ以外の場合はステップＳ１１７に進む。
【００４２】
（ステップＳ１０４）データ配信管理装置１のグループ毎配信データ有無情報生成部３４４は、受信装置グループ３−１〜３−ｎのグループ毎配信データ有無情報Ｈを生成する。配信データのある受信装置グループ３−１〜３−ｎのグループ毎配信データ有無情報Ｈの値を「１」とし、配信データの無い受信装置グループ３−１〜３−ｎのグループ毎配信データ有無情報Ｈの値を「０」とする。その後、ステップＳ１０５に進む。
【００４３】
（ステップＳ１０５）データ配信管理装置１の同期情報生成部３４１は、ビット同期情報Ｂを生成する。その後、ステップＳ１０６に進む。
（ステップＳ１０６）データ配信管理装置１の同期情報生成部３４１は、フレーム情報Ｆを生成する。その後、ステップＳ１０７に進む。
【００４４】
（ステップＳ１０７）データ配信管理装置１の同期情報生成部３４１は、ステップＳ１０４〜ステップＳ１０６で生成した、配信データ有無情報Ｈと、ビット同期情報Ｂと、フレーム情報Ｆとに基づいて、同期情報Ｓを生成する。その後、ステップＳ１０８に進む。
【００４５】
（ステップＳ１０８）データ配信管理装置１のアドレス情報生成部３４２は、アドレス情報Ａを生成する。その後、ステップＳ１０９に進む。
（ステップＳ１０９）データ配信管理装置１のデータ情報生成部３４３は、データＤを生成する。その後、ステップＳ１１０に進む。
【００４６】
（ステップＳ１１０）データ配信管理装置１のフレームデータ生成部３５は、ステップＳ１０７〜ステップＳ１０９で生成した、同期情報Ｓと、アドレス情報Ａと、データＤとに基づいて、フレームを生成する。また、データ配信管理装置１のデータ配信部３６は、生成したフレームを無線基地局２に送信する。無線基地局２のデータ受信部５１は、データ配信管理装置１より送信されたフレームを受信する。その後、ステップＳ１１１に進む。
【００４７】
（ステップＳ１１１）無線基地局２のタイミング制御部５３は、同期情報Ｓを送信する時刻であるか否か判断する。同期情報Ｓを送信する時刻と判断した場合、ステップＳ１１２に進み、それ以外の場合はステップＳ１１１に戻る。
【００４８】
（ステップＳ１１２）無線基地局２のフレーム送信制御部５２は、無線通信部５４を介して、ステップＳ１１０で受信したフレームの同期情報Ｓを受信装置４に送信する。その後、ステップＳ１１３に進む。
【００４９】
（ステップＳ１１３）無線基地局２のタイミング制御部５３は、アドレス情報Ａを送信する時刻であるか否か判断する。アドレス情報Ａを送信する時刻と判断した場合、ステップＳ１１４に進み、それ以外の場合はステップＳ１１３に戻る。
【００５０】
（ステップＳ１１４）無線基地局２のフレーム送信制御部５２は、無線通信部５４を介して、ステップＳ１１０で受信したフレームのアドレス情報Ａを受信装置４に送信する。その後、ステップＳ１１５に進む。
（ステップＳ１１５）無線基地局２のタイミング制御部５３は、データＤを送信する時刻であるか否か判断する。データＤを送信する時刻と判断した場合、ステップＳ１１４に進み、それ以外の場合はステップＳ１１３に戻る。
【００５１】
（ステップＳ１１６）無線基地局２のフレーム送信制御部５２は、無線通信部５４を介して、ステップＳ１１０で受信したフレームのデータＤを受信装置４に送信する。その後、ステップＳ１０１に戻る。
【００５２】
（ステップＳ１１７）データ配信管理装置１のグループ毎配信データ有無情報生成部３４４は、受信装置グループ３−１〜３−ｎのグループ毎配信データ有無情報Ｈを生成する。ステップＳ１０３で配信するデータが無いと判断したため、受信装置グループ３−１〜３−ｎのグループ毎配信データ有無情報Ｈの値を「０」とする。その後、ステップＳ１１８に進む。
【００５３】
（ステップＳ１１８）データ配信管理装置１の同期情報生成部３４１は、ビット同期情報Ｂを生成する。その後、ステップＳ１１９に進む。
（ステップＳ１１９）データ配信管理装置１の同期情報生成部３４１は、フレーム情報Ｆを生成する。その後、ステップＳ１２０に進む。
【００５４】
（ステップＳ１２０）データ配信管理装置１の同期情報生成部３４１は、ステップＳ１１７〜ステップＳ１１９で生成した、グループ毎配信データ有無情報Ｈと、ビット同期情報Ｂと、フレーム情報Ｆとに基づいて、同期情報Ｓを生成する。また、データ配信管理装置１のデータ配信部３６は、生成した同期情報Ｓを無線基地局２に送信する。無線基地局２のデータ受信部５１は、データ配信管理装置１より送信された同期情報Ｓを受信する。その後、ステップＳ１２１に進む。
【００５５】
（ステップＳ１２１）無線基地局２のタイミング制御部５３は、同期情報Ｓを送信する時刻であるか否か判断する。同期情報Ｓを送信する時刻と判断した場合、ステップＳ１２２に進み、それ以外の場合はステップＳ１２１に戻る。
【００５６】
（ステップＳ１２２）無線基地局２のフレーム送信制御部５２は、無線通信部５４を介して、ステップＳ１２０で受信した同期情報Ｓを受信装置４に送信する。その後、ステップＳ１０１に戻る。
【００５７】
上述したとおり、本実施形態におけるデータ配信管理装置１は、受信装置グループ３−１〜３−ｎのグループ毎配信データ有無情報Ｈを生成し、生成したグループ毎配信データ有無情報Ｈを含んだ同期情報Ｓを生成することができる。また、本実施形態における無線基地局２は、受信装置グループ３−１〜３−ｎのグループ毎配信データ有無情報Ｈを含んだ同期情報Ｓを受信装置４に送信することができる。
【００５８】
次に、本実施形態における受信装置４の動作を説明する。図１０は、本実施形態における受信装置４の動作の手順を示したフローチャートである。
（ステップＳ２０１）受信装置４の電源制御部７１４は、スイッチ部７３を制御し、無線通信部７２の無線回路に電源を供給する。その後、ステップＳ２０２に進む。
（ステップＳ２０２）受信装置４の無線通信部７２は、無線基地局２から送信される同期情報Ｓの受信を開始する。その後、ステップＳ２０３に進む。
（ステップＳ２０３）受信装置４の配信データ有無検出部７１１は、無線通信部７２が同期情報Ｓを受信したか否か判断する。
同期情報Ｓを受信したと判断した場合、ステップＳ２０４に進み、それ以外の場合はステップＳ２０３に戻る。
【００５９】
（ステップＳ２０４）受信装置４のグループ毎配信データ有無検出部７１１は、無線通信部７２が受信した同期情報Ｓに含まれる配信データ有無情報Ｈに基づいて、受信装置自身が属する受信装置グループ３−１〜３−ｎに対して、無線基地局２からデータＤが送信されるか否か判断する。
【００６０】
具体的には、自受信装置が属する受信装置グループ３−１〜３−ｎの配信データ有無情報Ｈの値が「１」であれば、その後、受信装置４は、自らが属する受信装置グループ宛に無線基地局２からデータＤが送信されると判断し、ステップＳ２０５に進む。自受信装置が属する受信装置グループ３−１〜３−ｎの配信データ有無情報Ｈの値が「０」であれば、その後、自受信装置が属する受信装置グループ宛に無線基地局２からデータＤが送信されないと判断し、ステップＳ２１４に進む。
【００６１】
（ステップＳ２０５）同期情報Ｓを受信後、受信装置４の電源制御部７１４は、スイッチ部７３を制御し、無線通信部７２の無線回路に供給していた電源を遮断する。その後、ステップＳ２０６に進む。
【００６２】
（ステップＳ２０６）受信装置４の受信時刻設定部７１２は、無線基地局２−１〜２−ｍから受信装置４自らが属する受信装置グループ３−１〜３−ｎ宛にアドレス情報Ａが送信される時刻であるか否か判断する。送信される時刻であると判断した場合、ステップＳ２０７に進み、それ以外の場合はステップＳ２０６に戻る。
【００６３】
（ステップＳ２０７）受信装置４の電源制御部７１４は、スイッチ部７３を制御し、無線通信部７２の無線回路に電源を供給する。本実施形態では、アドレス情報Ａが送信される時刻（タイミング）は固定され、アドレス情報Ａが送信されるタイミングは、同期情報Ｓの送信完了直後である。よって、アドレス情報Ａ内のグループ別のアドレス情報Ａｎが、図８で説明したようにグループ番号順に送信されるため、受信装置４は、自身宛に送信されるアドレス情報Ａｎの送信タイミングに合わせてスイッチ部７３を制御する。その後、ステップＳ２０８に進む。
（ステップＳ２０８）受信装置４の無線通信部７２は、無線基地局２−１〜２−ｍから送信されるアドレス情報Ａを受信する。その後、ステップＳ２０９に進む。
【００６４】
（ステップＳ２０９）受信装置４の配信データ有無検出部７１１は、ステップＳ２０８で受信したアドレス情報Ａに自身宛のアドレス情報Ａが含まれているか否か判断する。含まれていると判断した場合、ステップＳ２１０に進み、それ以外の場合はステップＳ２１４に進む。
（ステップＳ２１０）受信装置４の電源制御部７１４は、スイッチ部７３を制御し、無線通信部７２の無線回路に供給していた電源を遮断する。その後、ステップＳ２１１に進む。
（ステップＳ２１１）受信装置４の受信時刻設定部７１２は、無線基地局２−１〜２−ｍから自受信装置４宛にデータＤが送信される時刻であるか否か判断する。送信される時刻であると判断した場合、ステップＳ２１２に進み、それ以外の場合はステップＳ２１１に戻る。
【００６５】
（ステップＳ２１２）受信装置４の電源制御部７１４は、スイッチ部７３を制御し、無線通信部７２の無線回路に電源を供給する。データＤ内のグループ別のデータＤｎは、図８で説明したようにグループ番号順に送信されるため、自受信装置宛のデータＤの送信タイミングに合わせてスイッチ部７３を制御する。その後、ステップＳ２１３に進む。
（ステップＳ２１３）受信装置４の無線通信部７２は、無線基地局２−１〜２−ｍから送信されるデータＤを受信する。その後、ステップＳ２１４に進む。
【００６６】
（ステップＳ２１４）受信装置４の電源制御部７１４は、自受信装置宛のデータＤを受信後、スイッチ部７３を制御し、無線通信部７２の無線回路に供給していた電源を遮断する。その後、ステップＳ２１５に進む。
（ステップＳ２１５）受信装置４の受信時刻設定部７１２は、無線基地局２−１〜２−ｍから同期情報Ｓが送信される時刻であるか否か判断する。送信される時刻であると判断した場合、ステップＳ２０１戻り、それ以外の場合はステップＳ２１５に戻る。
【００６７】
尚、このフローチャートにおいて、無線回路への電源供給を遮断するタイミングは、同期情報Ｓ、アドレス情報Ａ、データＤの送信時間をあらかじめ設定し、受信後に設定時間が経過した時点で遮断する方法や、同期情報Ｓ、アドレス情報Ａ、データＤに、送信の終了を示す終了ビットを付加し、その終了ビットの受信を検出した時点で遮断する方法などがある。
フレーム内に、自受信装置グループ３−１〜３−ｎに対して送信されるデータＤが含まれていない（無線基地局２から自受信装置グループ３−１〜３−ｎに対してデータＤが送信されない）場合における受信装置４の無線回路に供給される電源のオン／オフのタイミングの具体例について図１１を参照して説明する。
【００６８】
図１１、図１２は、本実施形態における受信装置４の無線回路に供給される電源のオン／オフのタイミングを示す図である。図１１に示されるフレームデータは、図１で示される受信装置グループ３が４つのグループ、各受信装置グループに含まれる受信装置４が２つで構成されるシステムでのフレーム構成を示している。ここで、各々Ａ１１、Ａ１２は、第1のグループ内の受信装置４への個別のアドレス情報、Ａ２１、Ａ２２は、第２のグループ内の個別の受信装置４へのアドレス情報、Ａ３１、Ａ３２は、第３のグループ内の個別の受信装置４へのアドレス情報、Ａ４１、Ａ４２は、第４のグループ内の個別の受信装置４へのアドレス情報、Ｄ１１、Ｄ１２は、第1のグループ内の個別の受信装置４へのデータ、Ｄ２１、Ｄ２２は、第２のグループ内の個別の受信装置４へのデータ、Ｄ３１、Ｄ３２は、第３のグループ内の個別の受信装置４へのデータ、Ｄ４１、Ｄ４２は、第４のグループ内の個別の受信装置４へのデータである。
【００６９】
また、図１１は、第２の受信装置グループ内で、アドレス情報Ａ２１に対応する受信装置４の無線通信部７２内の無線回路の電源供給状態を示しており、フレーム内に受信装置グループ３に対して送信されるデータＤが無い（無線基地局２から自受信装置グループ３に対してデータＤが送信されない）場合における受信装置４の無線通信部７２内の無線回路に供給される電源のオン／オフのタイミングを示している。
【００７０】
図示する例では、フレーム内の同期情報Ｓが無線基地局２から送信されるタイミングにおいて、受信装置４の無線回路に電源が供給されている。ここで、第２の受信装置グループ３のグループ毎配信データ有無情報Ｈ２の値が「０」であった場合、フレーム内の同期情報Ｓが無線基地局２から送信されるタイミング以外では、受信装置４の無線回路には電源が供給されていない。
図１２は、フレーム内に第２の受信装置グループ３−２に対して送信されるデータＤが含まれている（無線基地局２から第２の受信装置グループ３−２に対してデータＤが送信される）場合であって、第２の受信装置グループ３−２内で、アドレス情報Ａ２１に対応する受信装置４の無線通信部７２内の無線回路への電源の供給状態を示している。
【００７１】
図１２に図示する例では、フレーム内の同期情報Ｓが無線基地局２から送信されるタイミングで、受信装置４の無線通信部７２内の無線回路に電源が供給されている。ここで、受信装置グループ３−２のグループ毎配信データ有無情報Ｈ２の値が「１」であった場合、受信装置グループ３−２内の受信装置４の無線回路は、一旦電源の供給が遮断される。その後、受信装置グループ３−２内の受信装置４宛のアドレス情報Ａ２１が無線基地局２から送信されるタイミングでアドレス情報Ａ２１に対応する受信装置４の無線回路に電源が供給される。ここで、受信装置４において自身へのアドレス情報Ａ２１が確認された場合、再度電源の供給が遮断され、その後、自受信装置宛のデータＤ２１が無線基地局２から送信されるタイミングにおいて、受信装置４の無線回路に再度電源が供給される。
【００７２】
上記の例では、フレーム内の同期情報Ｓの送信が完了し、個別の受信装置４宛のアドレス情報Ａ２１の送信が開始されるまで、受信装置４の無線回路には電源が供給されていない。また、フレーム内のアドレス情報Ａ２１の送信が完了し、自受信装置宛のデータＤ２１の送信が開始されるまで、受信装置４の無線回路には電源が供給されていない。また、フレーム内のデータＤ２１の送信が完了した後、次の同期情報Ｓの送信まで受信装置４の無線回路には電源が供給されていない。
【００７３】
上述したとおり、本実施形態における受信装置４は、受信装置グループ３−１〜３−ｎのグループ毎配信データ有無情報Ｈを含んだ同期情報Ｓを受信し、受信したグループ毎配信データ有無情報Ｈに基づいて自受信装置グループ３−１〜３−ｎに対してデータＤが送信されるか否か判断し、送信されないと判断した場合、電源制御部７１４は無線通信部７２の無線回路へ供給されている電源を遮断する。これにより、受信装置４が消費する消費電力をより低減させることができる。また、受信装置４が備える電池を長持ちさせることができる。
【００７４】
また、受信装置を複数のグループに分けることで、同じ無線基地局と通信を行っている他のグループに属する受信装置宛のデータを配信する際のアドレス情報を、自受信装置において受信する必要がなくなるため、無線回路の動作時間を短くすることができる。これにより、さらに受信装置が使用する電力を削減することができる。よって、受信装置が備える電池をさらに長持ちさせることができる。
【００７５】
（第二の実施形態）
次に、本発明の第二の実施形態について図面を参照して説明する。図１３は、本実施形態におけるデータ送受信システムの構成を示した構成図である。図示する例では、データ送受信システムにはデータ配信管理装置１（フレーム生成装置）と、無線基地局２−１〜２−ｍ（送信装置）と、受信装置グループ３１−１〜３ｍ−ｎとが含まれる。受信装置グループ３１−１〜３ｍ−ｎはそれぞれ単数または複数の受信装置４が含まれる。
【００７６】
データ配信管理装置１と無線基地局２−１〜２−ｍとは有線または無線のネットワークで接続されており、互いに情報を送受信することが可能である。また、無線基地局２−１〜２−ｍは、単数または複数の受信装置４と無線のネットワークで接続されており、互いに情報を送受信することが可能である。図示する例では、無線基地局２−１は、無線通信グループ３１−１〜３１−ｎに含まれる受信装置４と無線のネットワークで接続されており、互いに情報を送受信することができる。その他の無線基地局２−ｍについても無線通信グループ３ｍ−１〜３ｍ−ｎに含まれる受信装置４と無線のネットワークで接続されている。
【００７７】
データ配信管理装置１は、無線基地局２−１〜２−ｍを介して受信装置４に送信するフレームを生成する。フレームについては後述する。また、データ配信管理装置１は、作成したフレームを受信装置４に送信するタイミングを管理する。
無線基地局２−１〜２−ｍは、データ配信管理装置１より送信されたフレームを受信装置４に送信する。受信装置４は、データ配信管理装置１より無線基地局２−１〜２−ｍを介して送信されたフレームに含まれる情報を受信する。
【００７８】
なお、本実施形態のデータ送受信システムは、第一の実施形態と同様に、例えば、電子棚札システムである。具体的には、受信装置４は表示部を備えた電子棚札であり、データ配信管理装置１は、無線基地局２−１〜２−ｍを介して、受信装置４の表示部に表示させる商品名および商品の価格等の情報を受信装置４に送信する。また、データ配信管理装置１より送信された商品名および商品の価格等の情報を受信した受信装置４は、受信した商品名および商品の価格等の情報に基づいて、自身が備える表示部に商品名および商品の価格等を表示する。
【００７９】
本実施形態におけるデータ配信管理装置１の物理構成は、第一の実施形態におけるデータ配信管理装置１の物理構成と同様である。
【００８０】
図１４は、本実施形態におけるデータ配信管理装置１の機能構成を示したブロック図である。図示する例では、データ配信管理装置１は、配信データ記憶部３１と、配信データ制御部３２と、接続情報管理部３３と、送信情報生成部３４と、フレームデータ生成部３５と、データ配信部３６とを備える。
【００８１】
また、送信情報生成部３４は、同期情報生成部３４１と、アドレス情報生成部３４２と、データ生成部３４３と、グループ毎配信データ有無情報生成部３４４と、アドレス情報送信開始情報生成部３４５とを備える。
配信データ記憶部３１と、配信データ制御部３２と、接続情報管理部３３と、送信情報生成部３４は、フレームデータ生成部３５と、データ配信部３６と、同期情報生成部３４１と、アドレス情報生成部３４２と、データ生成部３４３と、グループ毎配信データ有無情報生成部３４４とは、第一の実施形態における各部と同様である。アドレス情報送信開始情報生成部３４５は、後述するアドレス情報送信開始情報Ａｔを生成する。
【００８２】
本実施形態における無線基地局２−１〜２−ｍの物理構成は、第一の実施形態における無線基地局２−１〜２−ｍの物理構成と同様である。
【００８３】
図１５は、本実施形態における受信装置４の機能構成を示したブロック図である。図示する例では、受信装置４は、制御部７１と、無線通信部７２と、スイッチ部７３と、電池７４とを備える。
【００８４】
また、制御部７１は、配信データ有無検出部７１１と、受信時刻設定部７１２と、時刻情報部７１３と、電源制御部７１４と、アドレス情報送信開始時刻検出部７１５と、自端末アドレス情報記憶部７１６と、自グループ情報記憶部７１７とを備える。
【００８５】
制御部７１と、無線通信部７２と、スイッチ部７３と、電池７４と、配信データ有無検出部７１１と、受信時刻設定部７１２と、時刻情報部７１３と、電源制御部７１４とは第一の実施形態における各部と同様である。アドレス情報送信開始時刻検出部７１５は、無線基地局２−１〜２−ｍから自受信装置が属する受信装置グループ３１−１〜３ｍ−ｎに対するアドレス情報Ａが送信される時刻を検出する。自端末アドレス情報記憶部７１６は、自身固有のアドレス情報を記憶する。自グループ情報記憶部７１７は、自身がどの受信装置グループ３１−１〜３ｍ−ｎに属しているかの情報を記憶する。
【００８６】
本実施形態では、無線基地局２が図１３に示すように複数存在するため、各無線基地局２−１から２−ｍは、各々重なり合わないように、対応する受信装置グループ３１−１〜３ｍ−ｎの受信装置４に各情報を送信する。図１６は無線基地局２−１から２−ｍが情報を送信するタイミングを示した図である。図示する例では、無線基地局２−１が受信装置グループ３１−１〜３１−ｎへの同期情報Ｓ１を送信した後、次に無線基地局２−２が同期信号Ｓ１に重ならないタイミングで受信装置グループ３２−１〜３２−ｎへの同期情報Ｓ２を送信する。
【００８７】
全ての無線基地局２が順に同期情報Ｓを送信し、最後の無線基地局２−ｍが受信装置グループ３ｍ−１〜３ｍ−ｎへの同期信号Ｓｍを送信した後、各無線基地局２−１〜２−ｍは、各受信装置グループ３宛のアドレス情報Ａ１〜Ａｍを順次重なり合わないタイミングで送信する。
全ての無線基地局２が順にアドレス情報Ａを送信し、最後の無線基地局２−ｍがアドレス信号Ａｍを送信した後、各無線基地局２−１〜２−ｍは、各受信装置グループ３宛のデータＤ１〜Ｄｍを順次重なり合わないタイミングで送信する。これらの情報信号の送信の制御は、データ配信管理装置１が行う。
【００８８】
次に、本実施形態におけるフレームの構成について説明する。図１７は、本実施形態における図１３の無線基地局２−１が送信するフレームの構成を示した構成図であり、無線基地局２−１と通信する受信装置グループ３１が４つの場合のフレームの構成を図示している。フレームは、同期情報Ｓと、アドレス情報Ａと、データＤとを含む。
【００８９】
図示する例では、１つのフレームに、同期情報Ｓと、各受信装置グループ３１内の個別の受信装置４向けのアドレス情報Ａ１１〜Ａ４２と、個別の受信装置４向けデータＤ１１〜Ｄ４２が順に含まれている。個別のアドレス情報Ａ１１〜Ａ４２と、個別のデータＤ１１〜Ｄ４２は、各々Ａ１１、Ａ１２、Ｄ１１、Ｄ１２が第1の受信装置グループ３１−１向け、Ａ２１、Ａ２２、Ｄ２１、Ｄ２２が第２の受信装置グループ３１−２向け、Ａ３１、Ａ３２、Ｄ３１、Ｄ３２が第３の受信装置グループ向け、Ａ４１、Ａ４２、Ｄ４１、Ｄ４２が第４の受信装置グループ向けの送信である。
【００９０】
また、本実施形態では、同期情報Ｓの送信が完了した後から、アドレス情報Ａの送信を開始するまでの間、アドレス情報Ａの送信が完了した後から、データＤの送信を開始するまでの間、データＤの送信が完了してから次の同期情報Ｓが送信を開始するまでの間に間隔がある。
【００９１】
これらの間隔は、図１３に示されるデータ送受信システムにおける無線基地局２−１以外の複数の無線基地局２−２〜２−ｍが送信する複数の同期情報Ｓ２〜Ｓｍの送受信と、受信装置グループ３１−１〜３１−ｎ以外の複数の受信装置グループ３２−１〜３ｍ−ｎ宛のアドレス情報Ａ２〜Ａｍの送受信のために設けられている。この間隔は、設置される無線基地局２、および設定される受信装置グループ３の数により変動する。
【００９２】
また、図１７に示すように同期情報Ｓにはビット同期情報Ｂと、フレーム情報Ｆと、グループ毎配信データ有無情報Ｈと、アドレス情報送信開始情報Ａｔが含まれている。図示する例では、同期情報Ｓの構成例としてａとｂとの２種類あり、ａの例では、全てのグループ毎配信データ有無情報Ｈの後にアドレス情報送信開始情報Ａｔが含まれている。一方、ｂの例では、グループ毎配信データ有無情報Ｈとアドレス情報送信開始情報Ａｔとが交互に含まれており、どちらの構成例でもよい。
【００９３】
ビット同期情報Ｂは、無線基地局２−１〜２−ｍと、受信装置４との同期を合わせるための情報である。フレーム情報Ｆは、無線基地局２−１〜２−ｍが送信する本フレームの情報を受信装置４に知らせるための情報である。例えは、フレーム情報Ｆは、無線基地局２−１〜２−ｍのＩＤ情報や、フレームの周期情報など、受信装置４が無線基地局２−１〜２−ｍと同期をとり動作するために必要な情報である。
【００９４】
アドレス情報送信開始情報Ａｔは、フレーム内で各受信装置グループ３１−１〜３ｍ−ｎに対して送信されるアドレス情報Ａの送信が開始されるタイミングを示す情報である。
【００９５】
グループ毎配信データ有無情報Ｈは、本フレーム内に、各受信装置グループ３１−１〜３ｍ−ｎに対して送信されるデータＤが含まれているか否かを示す情報である。例えば、本フレーム内に受信装置グループ３１−１に対して送信されるデータＤ１が含まれている場合、グループ毎配信データ有無情報Ｈ１は「１」であり、本フレーム内に受信装置グループ３１−１に対して送信されるデータＤ１が含まれていない場合、グループ毎配信データ有無情報Ｈ１は「０」である。他の受信装置グループについても同様である。
【００９６】
アドレス情報Ａ１１〜Ａ４２は、データＤが送信される本フレーム内のアドレスを示す。データＤ１１〜Ｄ４２は、受信装置４に送信するデータである。例えば、受信装置４が電子棚札の場合では、データＤは商品名および商品の価格等の情報である。
【００９７】
次に、本実施形態におけるデータ配信管理装置１と無線基地局２−１〜２−ｍとの動作を説明する。図１８は、本実施形態におけるデータ配信管理装置１と無線基地局２−１〜２−ｍとの動作の手順を示したフローチャートである。
ステップＳ３０１〜ステップＳ３０６の処理は、第一の実施形態におけるステップＳ１０１〜ステップＳ１０６の処理と同様である。
【００９８】
（ステップＳ３０６´）データ配信管理装置１のアドレス情報送信開始情報生成部３４５は、受信装置グループ３１−１〜３ｍ−ｎ毎に、受信装置グループ３１−１〜３ｍ−ｎに対してアドレス情報Ａが送信される時刻を示すアドレス情報送信開始情報Ａｔを生成する。その後、ステップＳ３０７に進む。
（ステップＳ３０７）データ配信管理装置１の同期情報生成部３４１は、ステップＳ３０４〜ステップＳ３０６´で生成した、グループ毎配信データ有無情報Ｈと、ビット同期情報Ｂと、フレーム情報Ｆと、アドレス情報送信開始情報Ａｔに基づいて、同期情報Ｓを生成する。その後、ステップＳ３０８に進む。
【００９９】
ステップＳ３０８〜ステップＳ３２２の処理は、第一の実施形態におけるステップＳ１０８〜ステップＳ１２２の処理と同様である。
上述したとおり、本実施形態におけるデータ配信管理装置１は、受信装置グループ３１−１〜３ｍ−ｎ毎に、アドレス情報Ａが送信されるアドレス情報送信開始情報Ａｔを生成し、生成したアドレス情報送信開始情報Ａｔを含んだ同期情報Ｓを生成することができる。また、本実施形態における無線基地局２−１〜２−ｍは、アドレス情報送信開始情報Ａｔを含んだ同期情報Ｓを受信装置４に送信することができる。
【０１００】
次に、本実施形態における受信装置４の動作を説明する。図１９は、本実施形態における受信装置４の動作の手順を示したフローチャートである。
（ステップＳ４０１）受信装置４の電源制御部７１４は、スイッチ部７３を制御し、自受信装置宛の同期情報Sの送信に合わせて、無線通信部７２の無線回路に電源を供給する。その後、ステップＳ４０２に進む。
（ステップＳ４０２）受信装置４の無線通信部７２は、無線基地局２−１〜２−ｍから送信される同期情報Ｓの受信を開始する。その後、ステップＳ４０３に進む。
【０１０１】
（ステップＳ４０３）受信装置４の配信データ有無検出部７１１は、無線通信部７２が同期情報Ｓを受信したか否か判断する。同期情報Ｓを受信したと判断した場合、ステップＳ４０４に進み、それ以外の場合はステップＳ４０３に戻る。
（ステップＳ４０４）受信装置４の配信データ有無検出部７１１は、無線通信部７２が受信した同期情報Ｓに含まれる毎グループ毎配信データ有無情報Ｈと自グループ情報記憶部７１７の記憶内容に基づいて、自受信装置が属する受信装置グループ３１−１〜３ｍ−ｎ（自受信装置グループ）に対して、無線基地局２からデータＤが送信されるか否か判断する。
【０１０２】
具体的には、受信装置４が属する受信装置グループ３１−１〜３ｍ−ｎのグループ毎配信データ有無情報Ｈの値が「１」であれば、無線基地局２からデータＤが送信されると判断し、グループ毎配信データ有無情報Ｈの値が「０」であれば、無線基地局２からデータＤが送信されないと判断する。送信されると判断した場合、ステップＳ４０５に進み、それ以外の場合はステップＳ４１５に進む。
【０１０３】
（ステップＳ４０５）受信装置４のアドレス情報送信開始時刻検出部７１５は、無線通信部７２が受信した同期情報Ｓに含まれるアドレス情報送信開始情報Ａｔに基づいて、無線基地局２−１〜２−ｍからアドレス情報Ａが受信装置グループ３１−１〜３ｍ−ｎに対してアドレス情報が送信される時刻を検出する。その後、ステップＳ４０６に進む。
【０１０４】
（ステップＳ４０６）受信装置４の電源制御部７１４は、スイッチ部７３を制御し、無線通信部７２の無線回路に供給していた電源を遮断する。その後、ステップＳ４０７に進む。
【０１０５】
（ステップＳ４０７）受信装置４の受信時刻設定部７１２は、無線基地局２−１〜２−ｍから自分の無線通信グループ３１−１〜３ｍ−ｎ宛にアドレス情報Ａが送信される時刻であるか否か判断する。送信される時刻であると判断した場合、ステップＳ４０８に進み、それ以外の場合はステップＳ４０７に戻る。
（ステップＳ４０８）受信装置４の電源制御部７１４は、スイッチ部７３を制御し、無線通信部７２の無線回路に電源を供給する。その後、ステップＳ４０９に進む。
【０１０６】
（ステップＳ４０９）受信装置４の無線通信部７２は、無線基地局２−１〜２−ｍから送信されるアドレス情報Ａを受信する。その後、ステップＳ４１０に進む。
【０１０７】
（ステップＳ４１０）受信装置４の配信データ有無検出部７１１は、ステップＳ４０９で受信したアドレス情報Ａに自端末に対するアドレス情報Ａが含まれているか否か判断する。含まれていると判断した場合、ステップＳ４１１に進み、それ以外の場合はステップＳ４１５に進む。
【０１０８】
（ステップＳ４１１）受信装置４の電源制御部７１４は、スイッチ部７３を制御し、無線通信部７２の無線回路に供給していた電源を遮断する。その後、ステップＳ４１２に進む。
【０１０９】
（ステップＳ４１２）受信装置４の受信時刻設定部７１２は、無線基地局２−１〜２−ｍから自受信装置４宛にデータＤが送信される時刻であるか否か判断する。送信される時刻であると判断した場合、ステップＳ４１３に進み、それ以外の場合はステップＳ４１２に戻る。
（ステップＳ４１３）受信装置４の電源制御部７１４は、スイッチ部７３を制御し、無線通信部７２の無線回路に電源を供給する。データＤ内のグループ別のデータＤｎは、図１７で説明したようにグループ番号順に送信されるため、自受信装置宛のデータＤの送信タイミングに合わせてスイッチ部７３を制御する。その後、ステップＳ４１４に進む。
【０１１０】
（ステップＳ４１４）受信装置４の無線通信部７２は、無線基地局２−１〜２−ｍから送信されるデータＤを受信する。その後、ステップＳ４１５に進む。
（ステップＳ４１５）受信装置４の電源制御部７１４は、自分宛のデータＤを受信後、スイッチ部７３を制御し、無線通信部７２の無線回路に供給していた電源を遮断する。その後、ステップＳ４１６に進む。
（ステップＳ４１６）受信装置４の受信時刻設定部７１２は、無線基地局２−１〜２−ｍから同期情報Ｓが送信される時刻であるか否か判断する。送信される時刻であると判断した場合、ステップＳ４０１に戻り、それ以外の場合はステップＳ４１６に戻る。
【０１１１】
尚、このフローチャートにおいて、無線回路への電源供給を遮断するタイミングは、同期情報Ｓ、アドレス情報Ａ、データＤの送信時間をあらかじめ設定し、受信後に設定時間が経過した時点で遮断する方法や、同期情報Ｓ、アドレス情報Ａ、データＤに、送信の終了を示す終了ビットを付加し、その終了ビットの受信を検出した時点で遮断する方法などがある。
フレーム内に、自受信装置グループ３１−１〜３ｍ−ｎに対して送信されるデータＤが含まれていない（無線基地局２−１〜２−ｍから自受信装置グループ３１−１〜３ｍ−ｎに対してデータＤが送信されない）場合における各受信装置４の無線回路に供給される電源のオン／オフのタイミングの具体例については、第一の実施形態の図１１に示した例と同様であるので、ここでの説明は省略する。
【０１１２】
フレーム内に自受信装置グループ３１−１〜３ｍ−ｎに対して送信されるデータＤが含まれている（無線基地局２−１〜２−ｍから自受信装置グループ３１−１〜３ｍ−ｎに対してデータＤが送信される）場合における受信装置４の無線回路に供給される電源のオン／オフのタイミングの具体例について図２０を参照して説明する。
受信装置グループ３１−２に属している受信装置４において、フレーム内の同期情報Ｓが無線基地局２−１から送信されるタイミング、フレーム内のアドレス情報Ａ２１が無線基地局２−１から送信されるタイミング、およびデータＤ２１が無線基地局２−１から送信されるタイミングにおいて、受信装置４の無線回路に電源が供給されている。
【０１１３】
図２０は、本実施形態における受信装置４の無線回路に供給される電源のオン／オフのタイミングを示す図である。
図２０に示されるフレームデータは、図１３で示される無線基地局２−１と通信する受信装置グループ３１−１〜３１−ｎが４つのグループ、各受信装置グループに含まれる受信装置４が各々２つの場合のフレーム構成を示している。ここで、各々Ａ１１、Ａ１２は、第1の受信装置グループ３１−１の受信装置への個別のアドレス情報、Ａ２１、Ａ２２は、第２の受信装置グループ３１−２の個別の受信装置へのアドレス情報、Ａ３１、Ａ３２は、第３の受信装置グループ３１−３の個別の受信装置へのアドレス情報、Ａ４１、Ａ４２は、第４の受信装置グループ３１−４の個別の受信装置へのアドレス情報、Ｄ１１、Ｄ１２は、第1の受信装置グループ３１−１の個別の受信装置へのデータ、Ｄ２１、Ｄ２２は、第２の受信装置グループ３１−２の個別の受信装置へのデータ、Ｄ３１、Ｄ３２は、第３の受信装置グループ３１−３の個別の受信装置へのデータ、Ｄ４１、Ｄ４２は、第４の受信装置グループ３１−４の個別の受信装置へのデータである。
【０１１４】
また、図２０は、第２の受信装置グループ３１−２内で、アドレス情報Ａ２１に対応する受信装置４の無線通信部７２内の無線回路の電源供給状態を示している。
図２０に図示する例では、同期情報Ｓが無線基地局２−１から送信されるタイミングで、受信装置４の無線通信部７２内の無線回路に電源が供給される。ここで、第２の受信装置グループ３１−２のグループ毎配信データ有無情報Ｈ２の値と、アドレス開始時刻Ａｔ２を受信した後、第２の受信装置グループ内３１−２の受信装置４の無線回路は、一旦電源の供給を遮断される。その後、アドレス開始時刻Ａｔ２により受信装置グループ３１−２内の自受信装置宛のアドレス情報Ａ２１が無線基地局２−１から送信されるタイミングで、アドレス情報Ａ２１に対応する受信装置４の無線回路に電源が供給される。ここで、自受信装置４のアドレス情報Ａが確認された場合、再度電源の供給が遮断され、その後、自受信装置宛のデータＤ２１が無線基地局２から送信されるタイミングにおいて、受信装置４の無線回路に再度電源が供給される。
【０１１５】
つまり、受信装置グループ３１−２に属している受信装置４において、フレーム内の同期情報Ｓが無線基地局２−１から送信されるタイミング、フレーム内のアドレス情報Ａ２１が無線基地局２−１から送信されるタイミング、およびデータＤ２１が無線基地局２−１から送信されるタイミングにおいて、受信装置４の無線回路に電源が供給されている。
【０１１６】
尚、本実施形態でのアドレス開始時刻Ａｔ２は、第２の受信装置グループ３１−２へのアドレス情報Ａ２が送信されるタイミングを示しているが、例えば、アドレス情報Ａ２２に対応する受信装置４の場合、各アドレス情報の送信タイミングは一定となっているので、アドレス情報Ａ２１の後に電源を供給するようにあらかじめ設定すればよい。
また、アドレス情報Ａ２２に対応する受信装置４は、自らが所属する受信装置グループ３１−２への最初のアドレス情報Ａ２１が送信されるタイミングで無線回路への電源の供給を開始し、自らのアドレス情報Ａ２２を受信後に電源の供給を遮断する構成にしてもよい。
【０１１７】
一方、フレーム内の同期情報Ｓの送信が完了しアドレス情報Ａ２１の送信が開始されるまで、フレーム内のアドレス情報Ａ２１の送信が完了しデータＤ２１の送信が開始されるまで、およびフレーム内のデータＤ２１の送信が完了した後、次の同期情報Ｓの送信まで受信装置４の無線回路には電源が供給されていない。
【０１１８】
上述したとおり、本実施形態における受信装置４は、受信装置グループ３１−１〜３ｍ−ｎ毎にアドレス情報が送信される時刻を示すアドレス情報送信開始情報Ａｔを含んだ同期情報Ｓを受信し、受信したアドレス情報送信開始情報Ａｔに基づいて、アドレス情報Ａが送信される時刻を検出し、検出した時刻に基づいて、アドレス情報Ａが送信される時刻まで、電源制御部７１４は無線回路へ供給されている電源を遮断する。これにより、受信装置４が消費する消費電力をより低減させることができる。また、受信装置４が備える電池を長持ちさせることができる。
【０１１９】
（第三の実施形態）
第一の実施形態では、受信装置４の無線通信部７２内の無線回路への電源の供給は、同期情報Ｓを受信後、自受信装置に対応するアドレス情報Ａ（図１２ではＡ２１）まで、一旦遮断していたが、アドレス情報Ａを送信する期間は、データＤを送信する期間に比べて短いため、同期情報Ｓを受信後、自受信装置に対応するアドレス情報Ａを受信するまで、そのまま電源の供給を続けても、従来に比べて消費電力をより低減させる効果を得ることが出来る。
尚、データ配信管理装置１、受信装置４の構成は第一の実施形態と同じであるため、ここでの説明は省略する。
【０１２０】
本実施形態における受信装置４の動作を説明する。図２１は、本実施形態における受信装置４の動作の手順を示したフローチャートである。
（ステップＳ５０１）受信装置４の電源制御部７１４は、スイッチ部７３を制御し、無線通信部７２の無線回路に電源を供給する。その後、ステップＳ２０２に進む。
（ステップＳ５０２）受信装置４の無線通信部７２は、無線基地局２から送信される同期情報Ｓの受信を開始する。その後、ステップＳ２０３に進む。
【０１２１】
（ステップＳ５０３）受信装置４の配信データ有無検出部７１１は、無線通信部７２が同期情報Ｓを受信したか否か判断する。同期情報Ｓを受信したと判断した場合、ステップＳ２０４に進み、それ以外の場合はステップＳ２０３に戻る。
（ステップＳ５０４）受信装置４のグループ毎配信データ有無検出部７１１は、無線通信部７２が受信した同期情報Ｓに含まれる配信データ有無情報Ｈに基づいて、自受信装置が属する受信装置グループ３−１〜３−ｎ（自受信装置グループ）に対して、無線基地局２からデータＤが送信されるか否か判断する。
【０１２２】
具体的には、受信装置４自身が属する受信装置グループ３−１〜３−ｎの配信データ有無情報Ｈの値が「１」であれば、その後、自受信装置が属する受信装置グループ宛に無線基地局２からデータＤが送信されると判断し、ステップＳ５０５に進む。自受信装置が属する受信装置グループ３−１〜３−ｎの配信データ有無情報Ｈの値が「０」であれば、その後、自受信装置が属する受信装置グループ宛に無線基地局２からデータＤが送信されないと判断し、ステップＳ５１４に進む。
【０１２３】
（ステップＳ５０５）受信装置４の無線通信部７２は、無線基地局２から送信されるアドレス情報Ａを受信する。その後、ステップＳ５０６に進む。
（ステップＳ５０６）受信装置４の配信データ有無検出部７１１は、ステップＳ５０５で受信したアドレス情報Ａに自端末に対するアドレス情報Ａが含まれているか否か判断する。含まれていると判断した場合、ステップＳ５０７に進み、それ以外の場合はステップＳ５１１に進む。
（ステップＳ５０７）受信装置４の電源制御部７１４は、スイッチ部７３を制御し、無線通信部７２の無線回路に供給していた電源を遮断する。その後、ステップＳ５０８に進む。
【０１２４】
（ステップＳ５０８）受信装置４の受信時刻設定部７１２は、無線基地局２から自受信装置宛にデータＤが送信される時刻であるか否か判断する。送信される時刻であると判断した場合、ステップＳ５０９に進み、それ以外の場合はステップＳ５０８に戻る。
（ステップＳ５０９）受信装置４の電源制御部７１４は、スイッチ部７３を制御し、無線通信部７２の無線回路に電源を供給する。データＤ内のグループ別のデータＤｎは、図８で説明したようにグループ番号順に送信されるため、受信装置４は、自分宛のデータＤの送信タイミングに合わせてスイッチ部７３を制御する。その後、ステップＳ５１０に進む。
【０１２５】
（ステップＳ５１０）受信装置４の無線通信部７２は、無線基地局２から送信されるデータＤを受信する。その後、ステップＳ５１１に進む。
（ステップＳ５１１）受信装置４の電源制御部７１４は、自分宛のデータＤを受信後、スイッチ部７３を制御し、無線通信部７２の無線回路に供給していた電源を遮断する。その後、ステップＳ５１２に進む。
（ステップＳ５１２）受信装置４の受信時刻設定部７１２は、無線基地局２から同期情報Ｓが送信される時刻であるか否か判断する。送信される時刻であると判断した場合、ステップＳ５０１戻り、それ以外の場合はステップＳ５１２に戻る。
【０１２６】
尚、このフローチャートにおいて、無線回路への電源供給を遮断するタイミングは、同期情報Ｓ、アドレス情報Ａ、データＤの送信時間をあらかじめ設定し、受信後に設定時間が経過した時点で遮断する方法や、同期情報Ｓ、アドレス情報Ａ、データＤに、送信の終了を示す終了ビットを付加し、その終了ビットの受信を検出した時点で遮断する方法などがある。
【０１２７】
図２２は、図１に示される受信装置３−１〜３−ｎの内、アドレス情報がＡ２１である受信装置４の無線通信部７２の無線回路に供給される、第三の実施形態における電源のオン／オフのタイミングを示す図である。なお、図２２に示す例では、自受信装置に送信されるアドレス情報ＡはＡ２１であり、データＤはＤ２１である。
【０１２８】
図示する例では、フレーム内の同期情報Ｓの受信後、引き続き自受信装置宛てに送信されるフレーム内のアドレス情報Ａ２１の送信が完了するまで受信装置４の無線通信部７２に電源が供給される。受信装置４は、フレーム内のアドレス情報Ａ２１の受信が完了すると、データＤ２１の送信が開始されるまで、無線通信部７２への電源の供給を遮断する。その後、自受信装置宛てのデータＤ２１が無線基地局２から送信されるタイミングにおいて、受信装置４の無線通信部７２の無線回路に電源が供給される。フレーム内のデータＤ２１の送信が完了した後、次の同期情報Ｓが無線基地局２から送信されるまで、受信装置４の無線通信部７２の無線回路への電源の供給を遮断する。
【０１２９】
（第四の実施形態）
第二の実施形態では、受信装置４の無線通信部７２内の無線回路への電源の供給は、同期情報Ｓを受信後、自受信装置に対応するアドレス情報Ａ（図２０ではＡ２１）まで、一旦遮断していたが、アドレス情報Ａを送信する期間は、データＤを送信する期間に比べて短いため、同期情報Ｓを受信後、自受信装置に対応するアドレス情報Ａを受信するまで、そのまま電源の供給を続けても、従来に比べて消費電力をより低減させる効果を得ることが出来る。
尚、データ配信管理装置１、受信装置３の構成は第二の実施形態と同じであるため、ここでの説明は省略する。
また、本実施形態における受信装置４の動作の手順は、第三の実施形態の図２１のフローチャートと同じであるため、同様にここでの説明は省略する。
【０１３０】
図２３は、第四の実施形態において、図１３に示される受信装置３１−１〜３１−ｘの内、アドレス情報がＡ２１である受信装置４の無線通信部７２内の無線回路に供給される電源のオン／オフのタイミングを示す図である。なお、図２４に示す例では、受信装置４に送信されるアドレス情報ＡはＡ２１であり、データＤはＤ２１である。
【０１３１】
図示する例で受信装置４は、無線基地局２−１から自受信装置宛の同期情報Ｓが送信されるタイミングで、受信装置４の無線通信部７２内の無線回路に電源を供給する。無線基地局２−１からの同期信号Ｓの送信が終了すると、引き続き自受信装置宛てに送信されるアドレス情報Ａ２１の送信が完了するまで受信装置４の無線通信部７２内の無線回路に電源が供給される。受信装置４は、フレーム内のアドレス情報Ａ２１の受信が完了すると、データＤ２１の送信が開始されるまで、無線通信部７２内の無線回路への電源の供給を遮断する。その後、自受信装置宛てのデータＤ２１が無線基地局２から送信されるタイミングにおいて、受信装置４の無線通信部７２内の無線回路に電源が供給される。
【０１３２】
フレーム内のデータＤ２１の送信が完了した後、次の自受信装置宛の同期情報Ｓが無線基地局２−１から送信されるまで、受信装置４の無線通信部７２内の無線回路への電源の供給を遮断する。
【０１３３】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【０１３４】
本発明は、無線通信を行うための、フレーム生成装置、受信装置、データ送受信、フレーム生成方法および受信方法に適用可能であり、受信装置が消費する消費電力をより低減させる。
【符号の説明】
【０１３５】
１    データ配信管理装置、
２，２−１〜２−ｍ    無線基地局、
３−１〜３−ｎ，３−１〜３−ｘ    受信装置、
２１，４１，６１    ＣＰＵ、
２２，４２，６２    ＲＯＭ、
２３，４３，６３    ＲＡＭ、
２４，６５    表示部、
２５，４５    データインタフェース、
２６    入力部、
３１    配信データ記憶部、
３２    配信データ制御部、
３３    接続情報管理部、
３４    送信情報生成部、
３５    フレームデータ生成部、
３６    データ配信部、
４４，６４    無線回路、
５１    データ受信部、
５２    フレーム送信制御部、
５３    タイミング制御部、
５４，７２    無線通信部、
６６，７４    電池、
７１    制御部、
７３    スイッチ部、
３４１    同期情報生成部、
３４２    アドレス情報生成部、
３４３    データ生成部、
３４４    グループ毎配信データ有無情報生成部、
３４５    アドレス情報送信開始情報生成部、
７１１    配信データ有無検出部、
７１２    受信時刻設定部、
７１３    時間情報部、
７１４    電源制御部、
７１５    アドレス情報送信開始時刻検出部、
７１６    自端末アドレス情報記憶部、
７１７    自グループ情報記憶部
【図１】
2010016225.tif 000003
【図２】
2010016225.tif 000004
【図３】
2010016225.tif 000005
【図４】
2010016225.tif 000006
【図５】
2010016225.tif 000007
【図６】
2010016225.tif 000008
【図７】
2010016225.tif 000009
【図８】
2010016225.tif 000010
【図９】
2010016225.tif 000011
【図１０】
2010016225.tif 000012
【図１１】
2010016225.tif 000013
【図１２】
2010016225.tif 000014
【図１３】
2010016225.tif 000015
【図１４】
2010016225.tif 000016
【図１５】
2010016225.tif 000017
【図１６】
2010016225.tif 000018
【図１７】
2010016225.tif 000019
【図１８】
2010016225.tif 000020
【図１９】
2010016225.tif 000021
【図２０】
2010016225.tif 000022
【図２１】
2010016225.tif 000023
【図２２】
2010016225.tif 000024
【図２３】
2010016225.tif 000025
【国際調査報告】
2010016225.tif 000026
2010016225.tif 000027
2010016225.tif 000028
2010016225.tif 000029